(57)【要約】【課題】  生ゴミ処理槽の臭気を除去した空気又は臭気を室内に逆流させるおそれなく、確実に外気に排出すること。【解決手段】  生ゴミ処理機は、箱形の処理機本体１と、これに引出可能に配された生ゴミ処理槽２と、その上方に配した臭気の吸引口３ａ、脱臭槽３ｂ、吸引口３ａと脱臭槽３ｂの上端とを接続する吸引配管３ｃ、脱臭槽３ｂの下端から脱臭済み排気を排出する排気配管３ｄ及び排気配管３ｄの途中に挿入した排気ファン３ｅからなる脱臭部３と、脱臭槽３ｂ及び排気ファン３ｅをバイパスして吸引配管３ｃの途中と排気配管３ｄの排気ファン３ｅより下流側の部位との間を接続するバイパス配管４と、その途中に挿入した一時排気ファン４ａとで構成した。排気配管３ｄはシンクの排水管５のＳトラップ５ａの下流側に接続し、臭気が室内に逆流することがないようになっている。【選択図】  図４
2008142611.tif 000002
【特許請求の範囲】
【請求項１】
台所設備への組込用の生ゴミ処理機であって、
箱形の処理機本体と、
該処理機本体に引出可能に配され、上部に開口部を開いた生ゴミ処理槽と、
該生ゴミ処理槽中で発生した臭気を脱臭処理して又はしないで排出する排気手段と、
該排気手段と台所のシンクに接続する排水管の排水トラップより下流側の部位とを接続する排気配管と、
で構成した生ゴミ処理機。
【請求項２】
前記排気手段を、
前記処理機本体内に位置する生ゴミ処理槽の開口部上方に配した臭気の吸引口、脱臭槽、該吸引口から該脱臭槽の一端に接続する吸引配管、該脱臭槽の他端から脱臭済み排気を排出する排気配管及び該排気配管の途中に挿入した臭気排出用の排気ファンからなる脱臭部と、
該脱臭部の脱臭槽及び排気ファンをバイパスして前記吸引配管の途中と前記排気配管の排気ファンより下流側の部位との間を接続すべく配し、かつその途中に前記生ゴミ処理槽を処理機本体から引き出す直前に一時的に排気動作する一時排気ファンを挿入したバイパス配管と、
で構成した請求項１の生ゴミ処理機。
【発明の詳細な説明】
【技術分野】
【０００１】
本発明は、台所のシンクその他のキッチン用設備の下方等に組み込んで、台所で発生する魚介類屑や野菜屑等の生ゴミを分解処理するために使用する生ゴミ処理機に関し、特に生ゴミの処理の際に発生する臭気又はこれを脱臭処理した排気を逆流させることなく外気に放出し得る生ゴミ処理機に関するものである。
【背景技術】
【０００２】
生ゴミ処理機は、生ゴミの分解処理の過程で臭気の発生があり、家屋外に配置して用いられる物であっても、多くの場合、その臭気の発生自体又は発生した臭気の除去又は低減を図る手段を付することが要求されている。システムキッチン等に組み込んで用いられる室内設置型の生ゴミ処理機では、一層、このような臭気の放出は不都合であり、その除去のための手段が付設されている必要がある。
【０００３】
このような生ゴミ処理機として特許文献１の提案がある。これは、システムキッチンに組込可能な生ゴミ処理機に於いて、生ゴミを投入する投入口の開閉を検知して投入口開閉信号を出力する投入口開閉検知手段と、バーナを有するコンログリルへ臭気を排出する臭気排出口と、前記臭気排出口を開閉する臭気排出口開閉手段と、前記臭気排出口の手前に設けられ臭気をコンログリルへ送出するための排出ファンと、前記コンログリルの上方に設けられたレンジフードファンと、前記投入口開閉検知手段からの投入口開閉信号を受信して前記臭気排出口開閉手段と前記排出ファンと前記バーナと前記レンジフードファンとの動作を制御する制御手段とを設け、前記制御手段が投入口開信号を受信したとき前記排出口開閉手段を制御して前記臭気排出口を開口させ前記排出ファンと前記バーナと前記レンジフードファンを稼働させて臭気を燃焼させながら強制的に外部に排出させる生ゴミ処理機の臭気処理機構である。
【０００４】
この生ゴミ処理機では、その生ゴミ投入口を開ける際に、臭気処理機構を動作させて、該投入口から臭気が放出されるのを防止するようになっており、システムキッチンに組み込んで室内で生ゴミ処理機を使用する場合の臭気の面での対策を図っている点で一応の評価ができる物であると考える。しかし生ゴミの処理の過程で生じる臭気は、投入口を開くときだけではなく、生ゴミの処理が行われている間は、常に発生していると考えなければならない。このような臭気は、排気処理又は脱臭処理をしなければ、前記投入口の隙間やその他の僅かな隙間から徐々に室内に放出され、室内の雰囲気を悪化させる可能性がある。この生ゴミ処理機では、このような問題を考慮しておらず、結局、十分な臭気対策ができているとは云えないと考える。
【０００５】
また脱臭手段として、コンログリルのバーナを使用し、その燃焼ガスの排気にレンジフードを使用するのも不都合である。もともとコンログリルのバーナは臭気の燃焼のために構成されているものではないため、ここを通過する臭気を確実に燃焼処理するには不安があるからである。
【０００６】
更に、装置外のコンログリルのバーナ等の手段を上記装置の制御手段で動作制御するように構成するのは、制御対象の装置が設置毎に全て同一の構成とは限らないため、なかなか厄介であり、安定した動作を確保するのに若干の不安がある。
【０００７】
【特許文献１】特許第３６５５９９１号公報
【発明の開示】
【発明が解決しようとする課題】
【０００８】
本発明は、生ゴミ処理槽から生ゴミの処理の過程で発生する臭気又はこれを脱臭処理しした排気を確実に外気に放出し、室内への逆流を回避できるようにした生ゴミ処理機を提供することを解決の課題とする。
【課題を解決するための手段】
【０００９】
本発明の１は、台所設備への組込用の生ゴミ処理機であって、箱形の処理機本体と、該処理機本体に引出可能に配され、上部に開口部を開いた生ゴミ処理槽と、該生ゴミ処理槽中で発生した臭気を脱臭処理して又はしないで排出する排気手段と、該排気手段と台所のシンクに接続する排水管の排水トラップより下流側の部位とを接続する排気配管と、で構成した生ゴミ処理機である。
【００１０】
本発明の２は、本発明の１の生ゴミ処理機に於いて、前記排気手段を、前記処理機本体内に位置する生ゴミ処理槽の開口部上方に配した臭気の吸引口、脱臭槽、該吸引口から該脱臭槽の一端に接続する吸引配管、該脱臭槽の他端から脱臭済み排気を排出する排気配管及び該排気配管の途中に挿入した臭気排出用の排気ファンからなる脱臭部と、該脱臭部の脱臭槽及び排気ファンをバイパスして前記吸引配管の途中と前記排気配管の排気ファンより下流側の部位との間を接続すべく配し、かつその途中に前記生ゴミ処理槽を処理機本体から引き出す直前に一時的に排気動作する一時排気ファンを挿入したバイパス配管と、で構成したものである。
【発明の効果】
【００１１】
本発明の１の生ゴミ処理機では、生ゴミの処理中に発生する臭気は、排気手段により脱臭処理した上で又はしないで排出されることになるが、この排気は、台所のシンクに接続する排水管を通じて外気に放出されることになる。そして、排気配管は、該排水管の排水とラップより下流側の部位に接続しているため、排気の逆流を回避することができる。即ち、簡易な構成で、室内への臭気の逆流を確実に阻止することができる。
【００１２】
本発明の２の生ゴミ処理機では、前記排気手段を、前記のように構成したため、生ゴミの投入のために、生ゴミ処理槽を手前側に引き出す場合には、これに先立って一時排気ファンを動作させ、該生ゴミ処理槽の上方に滞留している虞のある臭気を一気に排出し、該生ゴミ処理槽を引き出してもその臭気が室内に放出されないようにしている。
【００１３】
また、上記の時点以外に、生ゴミの処理中に発生している臭気は、常時動作する排気ファンで脱臭槽中に吸引され、この中で脱臭処理された上で排気されるため、外部へは殆ど臭気成分のない排気が排出され外部環境を悪化させるような問題を生じさせない。またこのように生ゴミ処理機内の臭気が引き出され、内部が減圧されているので、装置の僅かな隙間から臭気が外部に漏れ出すような問題もなく、室内雰囲気を害する虞も殆どない。
【発明を実施するための最良の形態】
【００１４】
本発明を実施する最良の形態を図面を参照しながら実施例に基づいて説明する。
【００１５】
この実施例の生ゴミ処理機は、基本的に、図１〜図３(a)、(b)に示すように、箱形の処理機本体１と、該処理機本体１に引出可能に配された生ゴミ処理槽２と、該生ゴミ処理槽２による生ゴミの処理で発生する臭気を脱臭排気する脱臭部３と、バイパス配管４と、で構成したもので、脱臭部３の後記排気配管３ｄを台所のシンクから垂下した排水管５のＳトラップ５ａより下流の部位に接続したところに特徴を有するものである。
【００１６】
前記は小型の処理機本体１は、金属で構成した容器体であり、この装置の基本的構成要素をその中に支持しつつ配置するための手段であり、更には、生ゴミ処理槽２で発生する虞のある臭気をこの中に閉じこめておく手段でもある。
【００１７】
前記生ゴミ処理槽２は、図１及び図２に示すように、側面から見て底部が半円弧状となった上部開口の容器体であり、その内部には回転軸とこれに直交する向きに配された複数の攪拌棒とからなる攪拌手段２ａが配されている。この攪拌手段２ａの回転軸の両端は、図１及び図２に示すように、該生ゴミ処理槽２の半円弧状の底部の円弧中心に軸受を介して取り付けてある。またその回転軸の両端の内、生ゴミ処理槽２の右側面に突出する端部には、大径鎖車２ｂが取り付けてある。他方、該生ゴミ処理槽２の底部に取り付けてある減速機付きの電動機２ｃの出力軸にも小径鎖車２ｄが固設してあり、該小径鎖車２ｄと前記大径鎖車２ｂとの間にチェーン２ｅが掛け渡してある。
【００１８】
前記電動機２ｃは、該生ゴミ処理槽２が、処理機本体１から引き出されている場合以外には、「１０分間正回転動作、５分停止、１０分間逆回転動作、５分停止」のサイクルを繰り返すように構成してある（これ以外の動作サイクルも可能である）。これによって生ゴミ処理槽２に投入された生ゴミは攪拌手段２ａで攪拌処理されるようになっている。
【００１９】
前記生ゴミ処理槽２の底部には、図１及び図２に示すように、面ヒータ２ｆが配してあり、生ゴミ処理槽２の内部を、これに予め投入された基材に植え付けてある微生物の活動が活発に行える温度に維持できるようになっている。この温度はこの実施例では用いる微生物との関係で概ね５０℃に維持できるように設定してある。
【００２０】
またこの生ゴミ処理槽２は、前記処理機本体１に、図３(b)に示すように、正面側に引き出し可能に配してある。この引出を可能にする構成は以下の通りである。
【００２１】
図１及び図２に示すように、生ゴミ処理槽２の両側面上部に、前後方向に沿って棒状のレール部材２ｇを固設する。このレール部材２ｇは、該生ゴミ処理槽２の上部の前後端から突出した腕片で支持されている物である。
【００２２】
他方、前記処理機本体１の両側内面の上部には、各々一対の転動支持手段１ａ、１ａが構成してある。特に図２に示すように、該転動支持手段１ａ、１ａは、その一方が、最前部の上部に配してあり、他方が中間付近の上部に配してある。各転動支持手段１ａは、上下一対のローラ部材１ａ１、１ａ１からなり、これらが、図１及び図２に示すように、支持片１ａ２に各々回転自在に配されている。その間隔は、二つのローラ部材１ａ１、１ａ１で、前記レール部材２ｇを転動可能な状態で挟み得る寸法とする。両側の支持片１ａ２、１ａ２…は、図１に示すように、処理機本体１の両側内面上部に固設する。この高さは、図１及び図２に示すように、該転動支持手段１ａ、１ａ…の各ローラ部材１ａ１、１ａ１で前記レール部材２ｇ、２ｇを挟んで支持した状態で、生ゴミ処理槽２が該処理機本体１の底部から僅かに浮いた状態となるように設定する。このように設定して、転動支持手段１ａ、１ａ…でレール部材２ｇ、２ｇを支持することで、該生ゴミ処理槽２を引出自在に処理機本体１中に配する。
【００２３】
前記脱臭部３は、図１及び図２に示すように、前記生ゴミ処理槽２の上部開口の上方に配した臭気の吸引口３ａと、生ゴミ処理槽２の背後に配した脱臭槽３ｂと、該吸引口３ａと該脱臭槽３ｂの上端とを接続する吸引配管３ｃと、該脱臭槽３ｂの下端から脱臭済み排気を排出する排気配管３ｄと、該排気配管３ｄの途中に挿入した臭気排出用の排気ファン３ｅとで構成したものである。
【００２４】
前記吸引口３ａは、その下方の生ゴミ処理槽２の上部開口から放出される臭気を効率的に吸引可能なように下向き皿形に構成した部材であり、図示しない支持部材を介して処理機本体１の天板部に固設されている。
【００２５】
前記吸引配管３ｃは、図２に示すように、一部が蛇腹状に構成され、屈曲及び伸縮が可能に構成してある。その上端は、前記吸引口３ａの上部に接続し、下端側は前記脱臭槽３ｂの上端に接続している。該脱臭槽３ｂに接続する下端部は、図２に示すように、大径に構成されている。
【００２６】
前記脱臭槽３ｂは、扁平状の容器と、その内部に充填した多数の木片とで構成したものである。これらの多数の木片は、臭気成分を分解する能力を持った微生物を担持させてある。この実施例では、上記木片として、活性汚泥を付着させたそれを採用した。これを用いた場合、使用開始後、１日乃至２日間程度は、活性汚泥に起因する不快な臭いが生じるが、これはその後すぐに解消される。１日乃至２日間、空気のみを送って空運転をした後に使用すれば不快な臭いの発生を回避することができる。
【００２７】
前記排気配管３ｄは、その上流側端部を前記脱臭槽３ｂの下端に接続し、これを処理機本体１の後部から外部に延長し、その下流側端を、先に述べ、かつ図４に示すように、台所のシンクに配した排水管５のＳトラップ５ａより下流側の部位に接続したものである。
【００２８】
前記排気ファン３ｅは、図２に示すように、前記脱臭槽３ｂの直下付近で、前記排気配管３ｄに挿入したものである。この生ゴミ処理機の運転中は常時動作し、該排気配管３ｄの一部、該脱臭槽３ｂ、前記吸引配管３ｃ及び前記吸引口３ａを介して、生ゴミ処理槽２の上部開口部付近の臭気を吸引するように動作する。
【００２９】
前記バイパス配管４は、図２に示すように、前記吸引配管３ｃの途中と前記排気配管３ｄの排気ファン３ｅより下流側の部位との間を接続する配管である。該バイパス配管４の上端は、その上端を、該吸引配管３ｃの途中の内、下端近傍に接続し、更に該バイパス配管４の上端近傍には一時排気ファン４ａを挿入する。該一時排気ファン４ａは、前記生ゴミ処理槽２を前記処理機本体１から引き出す直前に一時的に排気動作させ、該生ゴミ処理槽２の上部に滞留していることのある臭気を、脱臭槽３ｂ及び排気ファン３ｅをバイパスして一気に外部に排出させるべく動作するものである。
【００３０】
なお、図３(a)、(b)に示すように、生ゴミ処理槽２の正面部には正面化粧板２ｈが取り付けてある。この正面化粧板２ｈは、両側の転動支持手段１ａ及びレール部材２ｇを隠すべく、その両側に必要なだけ張り出してあり、更にその前面上部には、該生ゴミ処理槽２を引き出す際に利用する取手溝２ｉが形成してある。また処理機本体１の右上部には、前記ボタンスイッチ４ｂが配してあるが、その左隣に、この装置の運転を開始し、或いは停止するためのメインスイッチ４ｃが配してある。
【００３１】
この実施例では、上記一時排気ファン４ａの動作は、図３(a)に示すように、前記処理機本体１の前面上部に配したボタンスイッチ４ｂと、その押圧オン操作によって動作を開始し、２秒間動作を継続するタイマー装置（図示していない）とで制御するように構成したものである。該一時排気ファン４ａは、該タイマー装置から出力される２秒間の出力信号によって２秒間だけ排気動作するように構成されている。なお、この２秒間は、該ボタンスイッチ４ｂに埋め込まれたＬＥＤが点灯することで、一時排気ファン４ａが動作中か否かを報知してくれるようになっている。
【００３２】
従ってこの実施例の生ゴミ処理機では、生ゴミを投入する場合は、前記ボタンスイッチ４ｂを押圧操作し、一時排気ファン４ａを排気動作させ、生ゴミ処理槽２の上部に滞留していることのある臭気を一気に室外に排気し、ボタンスイッチ４ｂのＬＥＤが消灯したことを確認して生ゴミ処理槽２を手前に引き出し、その上方の開口部から投入することができる。この排気は、先に述べたように、排水管５のＳトラップ５ａより下方に排出されるため、室内に逆流する虞はなく、室内雰囲気を害することがない。
【００３３】
またこうして、一時排気ファン４ａの作用で、生ゴミ処理槽２の上部の臭気が排出されているので、これを引き出した際に、室内にその臭気が放出される虞がなくなる。
【００３４】
なお、以上のように、生ゴミ処理槽２を引き出す際は、前記攪拌手段２ａは、攪拌動作を停止した状態にあり、その回転に伴う危険性は回避されている。
【００３５】
生ゴミ処理槽２を処理機本体１内に押し戻せば、上記攪拌手段２ａは、前記下サイクルの動作を行い、投入された生ゴミを攪拌し、砕き、微生物による作用を受けやすくする。なお、この生ゴミ処理機では、運転前に生ゴミを分解処理する微生物を担持した基材を充填しておき、その担持する微生物の作用で、生ゴミを概ね水と二酸化炭素とに酸化分解し、生ゴミを減容し、或いは消滅させる。このような作用を前記面ヒータ２ｆで生ゴミ処理槽２中を概ね５０℃に保持することにより効率的に行えるようにしている。
【００３６】
このような生ゴミの分解処理過程では、既述のように、微生物に特有の臭気が発生することになるが、そうして発生した臭気は、常時動作している前記脱臭部３に吸引され、室外に排気されることになる。
【００３７】
前記のようにして生ゴミの処理中に発生する臭気は、常時、前記排気ファン３ｅで、前記吸引口３ａ及び吸引配管３ｃを介して脱臭槽３ｂ中に吸引され、この中で脱臭処理された上で、前記排気配管３ｄを通じて排気される。従って、外気へは殆ど臭気成分のない排気が排出され外部環境を悪化させるような問題を生じない。またこのように生ゴミ処理槽２上部の臭気が常時吸引され、減圧されているので、装置の僅かな隙間からも臭気が外部に漏れ出すような問題もなく、室内雰囲気を害する虞も殆どない。
【００３８】
なお、この排気は、前記のように、前記シンクの排水管５に排出され、外気に放出される。該排気配管３ｄは、これも先に述べたように、この排水管５にそのＳトラップ５ａより下流側の部位で接続しているため、その排気が室内に逆流するような虞もない。室内雰囲気を良好な状態に保持することができる。
【図面の簡単な説明】
【００３９】
【図１】実施例の生ゴミ処理機の正面説明図。
【図２】実施例の生ゴミ処理機の右側面説明図。
【図３】(a)は実施例の生ゴミ処理機の正面外観図、(b)は実施例の生ゴミ処理機の生ゴミ処理槽を引き出した状態の側面外観図。
【図４】実施例の生ゴミ処理機の排気配管をシンクの排水管に接続した状態の説明図。
【符号の説明】
【００４０】
１    処理機本体
１ａ  転動支持手段
１ａ１  ローラ部材
１ａ２  支持片
２    生ゴミ処理槽
２ａ  攪拌手段
２ｂ  大径鎖車
２ｃ  電動機
２ｄ  小径鎖車
２ｅ  チェーン
２ｆ  面ヒータ
２ｇ  レール部材
２ｈ  正面化粧板
２ｉ  取手溝
３    脱臭部
３ａ  吸引口
３ｂ  脱臭槽
３ｃ  吸引配管
３ｄ  排気配管
３ｅ  排気ファン
４    バイパス配管
４ａ  一時排気ファン
４ｂ  ボタンスイッチ
４ｃ  メインスイッチ
５    排水管
５ａ  Ｓトラップ
【図１】
2008142611.tif 000003
【図２】
2008142611.tif 000004
【図３】
2008142611.tif 000005
【図４】
2008142611.tif 000006